(57)【要約】【課題】取り扱いが容易で正確に型枠板に装着できると共に、セパレータコーン及びセパレータ軸と、取付ボルトが固定されて型枠板に密着することにより、コンクリートを打設した際のノロの発生を確実に防止するコンクリート型枠締結装置を提供する。【解決手段】セパレータコーンを構成するコーン本体及びプラグ体において、プラグ体の取付ボルトの雌ネジ部と螺合する側は、型枠板に形成された型枠板挿通孔の径とほぼ同径であって、コーン本体の端縁を超える長さを有するプラグ体基部と、これに続く、プラグ体基部より小径であって取付ボルトの雌ネジ部と螺合する雄ネジ部からなるセパレータコーンとする。【選択図】図２
2009185533.tif 000002
【特許請求の範囲】
【請求項１】
樹脂製のコーン本体（２）と、
該コーン本体の中央孔部に嵌入係止され、
かつ一端に、取付ボルト（７）の雌ネジ部（８）と螺合する締付ネジ部（５）と、
他端の内部に、セパレータ軸（９）の先端部に形成されたネジ部と螺合する雌ネジ部（６）とを形成した、プラグ体（３）、とからなるセパレータコーン（１）であって、
該プラグ体の取付ボルトの雌ネジ部と螺合する側は、
型枠板（１０）に形成された型枠板挿通孔（１１）の径とほぼ同径であって、コーン本体の端縁を超える長さを有するプラグ体基部（４）と、これに続く、プラグ体基部より小径であって取付ボルトの雌ネジ部と螺合する締付ネジ部（５）からなるセパレータコーン。
【請求項２】
請求項１記載のセパレータコーン（１）と、セパレータ軸（９）とからなるコンクリート型枠締結装置。
【請求項３】
前記セパレータコーン（１）と前記セパレータ軸（９）とを結合する、係合手段を備えたことを特徴とする請求項２記載のコンクリート型枠締結装置。
【発明の詳細な説明】
【技術分野】
【０００１】
本発明は、コンクリート型枠の締結装置及びそれに使用するセパレータコーンに関し、特にセパレータ軸と結合するためのセパレータコーンの改良に関する。
【背景技術】
【０００２】
従来、セパレータ軸及びセパレータコーンから構成されるコンクリート型枠締結装置としては、型枠固定用締付部材が螺合する螺着部が両端に形成された型枠用セパレータであって、該セパレータが、前記螺着部の内側にコーンの後退を阻止するための拡径部と、前記螺着部の拡径部側端部の少なくとも不完全螺子部に板ナットの後退を阻止するための刻設変形部とを有し、前記螺着部及び前記刻設変形部の最大直径が前記拡径部の最大直径より小さいことを特徴とする、型枠用セパレータが知られている（特許文献１参照）。
【０００３】
さらに、外面をテーパー状に形成したコーン本体の内側にプラグ体を嵌入してセパレータコーンを形成するものが知られている（特許文献２〜４参照）。
【特許文献１】特開平６−４９９８９号公報
【特許文献２】特開昭５５−９９１７号公報
【特許文献３】特開昭５５−３９５０４号公報
【特許文献４】特公昭５９−４３６２６号公報
【発明の開示】
【発明が解決しようとする課題】
【０００４】
しかしながら、これらの従来技術においては、以下のような課題があった。
（１）型枠により均一な厚みや強度等を確保するために、セパレータを適用することとなる型枠板には、複数の型枠板挿通孔（例えば縦１列に７〜８個）が形成されており、左右の型枠板に対応して正確に、これら複数の相並ぶ型枠板挿通孔にセパレータを挿入する必要があるが、現場での作業中に、近接した型枠板挿通孔にセパレータを誤って挿入する等、その作業は困難かつ非能率的であった。
（２）挿入作業の能率を向上するために、型枠板挿通孔の直径を大きくすることも検討されたが、この方法によると型枠板挿通孔とセパレータの間の隙間が大きくなり、かえってノロの発生を増大する原因となった。
すなわち、型枠の組立後にコンクリートを打設した場合に、セパレータコーンと型枠板との間に隙間が生じ、この隙間よりノロが漏出した。特に、バイブレータで揺動させる場合はネジ等が弛み、ノロが大量に発生した。
【０００５】
（３）プラグ体の内部へコンクリートのノロが浸入して固化し、後にセパレータコーンを引抜く際に支障となっていた。これに対しては、プラグ体の端部に形成された壁部によりモルタルの流入を防ぐ機能を有するものもあるが、セパレータ軸と挿通孔部との隙間からの流入を完全に防止することは困難であり、セパレータコーンを引抜く際の支障を除去することはできなかった。
（４）従来の、多くのタイプのセパレータにおいては、型枠板の型枠板挿通孔にセパレータ先端のネジ部が当たり、型枠板挿通孔を損傷することが多かった。
このような従来技術を示す例として図５Ａ、Ｂに記載されたものが挙げられる。そして図に示すとおり、ネジ部１２が、型枠板１０の型枠板挿通孔に当接し、特に、取付工具として電動ドリルドライバーにレンチやソケットを装着して作業をする場合は、ネジが押通孔内で高速回転するため、押通孔自体を破壊することとなり、型枠の寿命を縮めていた。
【０００６】
本発明は、このような従来技術の課題に鑑みてなされたもので、セパレータコーン自体の構成を工夫することにより、上記課題を解決した実用性の高いコンクリート型枠締結装
置及びセパレータコーンを提供することを目的とするものである。
【課題を解決するための手段】
【０００７】
本発明は、前記課題を解決するためのセパレータコーン、及び、これを用いて組み合わされたコンクリート型枠締結装置に関する発明であって、次のとおりの構成を有する。
樹脂製のコーン本体２と、該コーン本体の中央孔部に嵌入係止され、かつ一端に、取付ボルト７の雌ネジ部８と螺合する締付ネジ部５（雄ネジ部）と、他端の内部に、セパレータ軸９の先端部に形成されたネジ部と螺合する雌ネジ部６とを形成した、プラグ体３、とからなるセパレータコーン１であって、該プラグ体の取付ボルトの雌ネジ部と螺合する側は、型枠板１０に形成された型枠板挿通孔１１の径とほぼ同径であって、コーン本体の端縁を超える長さを有するプラグ体基部４と、これに続く、プラグ体基部より小径であって取付ボルトの雌ネジ部と螺合する締付ネジ部５（雄ネジ部）とからなるセパレータコーンである。
また、当該セパレータコーン１とセパレータ軸９からなるコンクリート型枠締結装置であって、さらに、前記セパレータコーンと前記セパレータ軸とを結合する係合手段を備えたことを特徴とするコンクリート型枠締結装置である。
【発明の効果】
【０００８】
本発明によれば、次の効果を得ることができる。
（１）プラグ体の取付ボルトの雌ネジ部と螺合する側に、型枠板に形成された型枠板挿通孔の径とほぼ同径であって、コーン本体の端縁を超える長さを有するプラグ体基部が有ることから、セパレータを適用することとなる左右の型枠板に対応して適正、かつスムースに、これら型枠板挿通孔にセパレータを挿入することができる。そのため、近接した型枠板挿通孔にセパレータを誤って挿入する恐れが無く、作業を効率的に行うことができる。（２）挿入作業を効率的に行うために、型枠板挿通孔の直径を大きくした場合でも、セパレータコーン及びセパレータ軸と、取付ボルト、例えばフォームタイがしっかりと固定されて型枠体に密着するため、コンクリートを打設した際のノロの発生を抑えることができる。さらに、バイブレータで揺動させる場合にもノロの発生はない。
（３）セパレータコーン、セパレータ軸、取付ボルト（フォームタイ）がしっかりと固定され型枠体に密着するため、プラグ体の内部へコンクリートのノロが浸入することがなく、セパレータコーンを引抜く際に支障を来すことがない。
【０００９】
（４）プラグ体の取付ボルトの雌ネジ部と螺合する側に、型枠板に形成された型枠板挿通孔の径とほぼ同径であって、コーン本体の端縁を超える長さを有するプラグ体基部が有ることから、型枠板の型枠板挿通孔にセパレータ先端のネジ部が当たることがなく、型枠板挿通孔を傷つけることがない。
また、取付工具として電動ドリルドライバーにレンチやソケットを装着して作業をする場合にも、ネジ部が押通孔内で高速回転することがないため、型枠板それ自体を破壊することがなく、型枠の寿命を延ばすことができる。
（５）プラグ体を有するセパレータコーンとセパレータ軸、取付ボルト（フォームタイ）をそれぞれネジ止めし、コンクリート型枠を締結するが、型枠板の厚さを考慮した適度の長さを有するプラグ体基部と、取付ボルトが当接するため、フォームタイの締付強度が一定になり、締め過ぎによる型枠体の破損や損傷がなくなる。そのため、型枠をより多くの回数使用することができ、長持ちさせることができる。
【発明を実施するための最良の形態】
【００１０】
〔実施例〕
以下、図面を用いて本発明の実施例について説明する。
図１は、本発明の一実施例の使用状態における片側部分を示した部分縦断面図である。図中、１はセパレータコーン、２はコーン本体、３はプラグ体、４はプラグ体基部、５は締付ネジ部、７は取付ボルト、８は取付ボルトの雌ネジ部、９はセパレータ軸、１０は型
枠板、１１は型枠板挿通孔である。そして、プラグ体を有するセパレータコーン１及びこれと螺合したセパレータ軸９により、本コンクリート型枠締付装置が構成される。
【００１１】
図示のように、型枠を形成する型枠板１０は型枠板挿通孔１１を有するが、その挿通孔１１を介して樹脂製のコーン本体２の中央孔部に嵌入係止されたプラグ体３（プラグ体基部４）を挿通し、その先端部に形成された締付ネジ部５に、取付ボルトの雌ねじ部８を螺合することにより、取付ボルト７と前記セパレータコーン１との間で締付固定される。
【００１２】
また、セパレータ軸９は、セパレータ軸の先端部に形成されたネジ部と、プラグ体の内部に形成した雌ネジ部６とを螺合することにより、締付固定される。
【００１３】
図２は、本発明の他の実施例の使用状態における片側部分を示した部分縦断面図である。図中、１はセパレータコーン、９はセパレータ軸であり、これらのプラグ体を有するセパレータコーン１及びこれと螺合したセパレータ軸９により、本コンクリート型枠締付装置が構成される。
【００１４】
前記セパレータコーン１は、図３に詳細に示すように、樹脂製のコーン本体２及びプラグ体３とから構成される。
セパレータコーン１は、樹脂製のコーン本体２と、該コーン本体の中央孔部に嵌入係止されるプラグ体３からなり、プラグ体３は、一端に、取付ボルト７の雌ネジ部８と螺合する締付ネジ部５を有し、かつ、他端の内部に、セパレータ軸９の先端部に形成されたネジ部と螺合する雌ネジ部６とを有する。
【００１５】
さらに、該プラグ体の、取付ボルトの雌ネジ部と螺合する側は、型枠板１０に形成された型枠板挿通孔１１の径とほぼ同径であって、コーン本体の端縁を超える長さを有する、例えば六角形のプラグ体基部４と、これに続く、プラグ体基部より小径であって取付ボルトの雌ネジ部と螺合する締付ネジ部５からなる。
プラグ体基部の長さを設定するに際しては、型枠板の厚さを考慮して適度の長さとすることにより、締付によりプラグ体基部と取付ボルトが当接してフォームタイの締付強度が一定となる。また、締付ネジ（フォームタイ側）を調節しながら締めることもできる。その結果、締め過ぎによる型枠体の破損や損傷がなくなる。
【００１６】
本発明をより良く理解するために、本発明の改良されたセパレータコーンの斜視図を図４に示す。
そして、本発明の改良されたセパレータコーンは、プラグ体の取付ボルトの雌ネジ部と螺合する側は、コーン本体の端縁を超える長さを有する例えば六角形のプラグ体基部４を有することから、従来技術のネジ部を有するもののように型枠板１０を傷つけることなく、作業現場においても容易かつ簡便に、セパレータ軸９と結合されたセパレータコーン１を、型枠板１０の型枠板挿通孔１１に挿入することができる。
【００１７】
また、プラグ体３は、型枠板に形成された型枠板挿通孔１１の径とほぼ同径のプラグ体基部４を有することから、型枠板の型枠板挿通孔との間でガタツキを生じることがなく、両者の隙間からのノロの漏出を防げると共に、取付ボルト（フォームタイ）ともしっかりと固定でき、型枠板面に密着させることができる。
また、当該セパレータコーン１と前記セパレータ軸９とを結合する係合手段６を備えることにより、本コンクリート型枠締結装置とすることができる。
【００１８】
本コンクリート型枠締結装置を使用する場合は、セパレータコーン１を構成するコーン本体２とプラグ体３を予め組んでから、セパレータ軸９と締結する。
その後に、型枠板１０の型枠板挿通孔１１にセパレータコーン１のプラグ体３の先端部を挿通し、取付ボルト７とセパレータコーン１のプラグ体３との間で締付固定する。
【００１９】
本発明のセパレータコーン内に設置されたプラグ体３は、コーン本体の端縁を超える長さを有するプラグ体基部４を有すること、すなわち、プラグ体がコーン本体２より長く飛び出したプラグ体基部４を有し、その先に締付ネジ部５（雄ネジ部）を有することから、型枠板の型枠板挿通孔１１に当接する部分は、ネジの切っていないプラグ体基部４である。
【００２０】
したがって、従来品のように、ネジ部が直接型枠板の型枠板挿通孔に当接することがないため、型枠板の型枠板挿通孔をネジ部により破損あるいは損傷する恐れはなく、さらに、程よい締付が可能となる。
また、上記プラグ体基部４は、確実に工具により締付ができるように角形状を有するもの、例えば、四角形、六角形、八角形の形状を有するものが望ましい。
【００２１】
さらにセパレータコーン１は、コーン本体２より飛び出した長いプラグ体、すなわちプラグ体基部４と締付ネジ部５を有することから、型枠板の型枠板挿通孔所定の型枠板挿通孔に、容易かつ確実に挿入することができる。
また、プラグ体は、型枠板に形成された型枠板挿通孔１１の径とほぼ同径のプラグ体基部４を有することから、プラグ体３と型枠板の型枠板挿通孔１１との間で隙間によるガタツキを生ずることなく、確実に所定の型枠板挿通孔に挿入することができる。
【図面の簡単な説明】
【００２２】
【図１】本発明の実施例の使用状態を示した部分縦断面図である。
【図２】本発明の他の実施例の使用状態を示した部分縦断面図である。
【図３】本発明の実施例におけるセパレータコーンの断面図である。
【図４】本発明の実施例におけるセパレータコーンの斜視図である。
【図５Ａ】従来のコンクリート型枠締結装置の使用状態を示す断面図である。
【図５Ｂ】図５Ａの部分拡大図である。
【符号の説明】
【００２３】
１…セパレータコーン、２…コーン本体、３…プラグ体、４…プラグ体基部、５…締付ネジ部、６…プラグ体の雌ネジ部、７…取付ボルト、８…取付ボルトの雌ネジ部、９…セパレータ軸、１０…型枠板、１１…型枠板挿通孔、１２…ネジ部
【図１】
2009185533.tif 000003
【図２】
2009185533.tif 000004
【図３】
2009185533.tif 000005
【図４】
2009185533.tif 000006
【図５Ａ】
2009185533.tif 000007
【図５Ｂ】
2009185533.tif 000008